(57)【要約】【課題】子牛の成育度合いに応じた必要な暖房温度は、暖房装置本体を子牛の上部で昇降して調節する方式のため、多くの付帯設備を要し、また移動時に手間のかかることが課題であった。【解決手段】家畜用の暖房領域の上部空間に、複数の反射板を有する輻射ヒータを本体内に並列に配設し、前記輻射ヒータが放射する輻射熱の反射方向を、家畜の成育段階に応じて暖房領域を任意に区画した温度分布領域の調節をおこなう輻射角度調節部を備えた畜産用暖房装を提供することを目的としている。【選択図】図１ 
2005151897.tif 000002
【特許請求の範囲】
【請求項１】
家畜用の暖房領域の上部空間に、複数の反射板を有する輻射ヒータを本体内に並列に配設し、前記輻射ヒータが放射する輻射熱の反射方向を、家畜の成育段階に応じて暖房領域を任意に区画した温度分布領域の調節をおこなう輻射角度調節部を備えたことを特徴とする畜産用暖房装置。
【請求項２】
前記輻射ヒータは棒状で、その軸心に直交する方向に反射方向を任意に調節可能とする請求項１記載の畜産用暖房装置。
【請求項３】
個々の輻射ヒータと反射板は対で可動基板に設け、前記可動基板は任意に調節できることを特徴とする請求項１記載の畜産用暖房装置。
【請求項４】
前記複数の反射板は個々に任意の角度に調節できることを特徴とする請求項１記載の畜産用暖房装置。
【発明の詳細な説明】
【技術分野】
【０００１】
本発明は、畜舎において家畜の飼育環境の温度調節に用いる畜産用暖房装置に関する。
【背景技術】
【０００２】
従来、生まれた子豚を親豚と同一のケージ内で飼育する場合の環境管理として、家畜飼育用ケージの床に吸熱マットを敷き、子豚の上部空間に熱輻射用ヒータを配設し、前記熱輻射ヒータを運転して暖房区域の雰囲気温度を保つと共に、吸熱マットの表面にも加熱して温度管理をおこなう暖房装置が設けられている。（例えば、特許文献１）また、子牛の飼育をおこなう環境管理の場合は、上部からの暖房方式が主体であり図６に示すように、子牛の上部空間に暖房装置本体１０１をワイヤー１０２で吊るし、前記ワイヤー１０２は、前記暖房装置本体１０１を昇降する昇降滑車１０３を介し、その方向を１８０度変更する方向変換滑車１０４を介して垂れ下がり、先端にリング１０５を有している。そして、前記方向変換滑車１０４の下部には前記リング１０５を引っ掛けるＮＯ１留金具１０６からＮＯ４留金具１０９を有した留金具柱１１０を備えている。ここで、小さい子牛１１１の時には、ワイヤー１０２のリング１０５をＮＯ４留具１０９に引っ掛けて、暖房装置本体１０１の取付け高さをｈ４に調節することにより、小さい子牛暖房領域Ｗ１を確保している。そして、子牛の育成に応じてリング１０５を順次引き下げ暖房装置本体１０２の取付け高さを徐々に上昇して、暖房領域の幅を広くしていく。そして成長子牛１１２になると、リング１０５はＮＯ１留金具１０９の位置まで引き下げられ、暖房装置本体１０１の取付け高さはｈ１まで上昇するため成長子牛暖房領域Ｗ４が確保される。このように子牛の成育段階に応じて、暖房装置本体１０１を高さ調整して子牛の飼育温度の環境管理をおこなっていた。
【特許文献１】実願昭６３−１１８９５６号（実開平２−３９６５７号）のマイクロフィルム（第１図）
【発明の開示】
【発明が解決しようとする課題】
【０００３】
このような従来の畜産用暖房装置は、暖房機器本体を子牛の生育に応じて高さ調節して飼育環境の温度調節をおこなうため、暖房機器本体を高さ調節するために、ワイヤー、滑車具およびワイヤー留め金具等の多くの付帯設備を必要とするという課題があった。
【０００４】
また、暖房機器本体を別のケージに移動する場合、滑車具等の付帯設備も一緒に移動させる必要があり、手間がかかるという課題もあった。
【０００５】
本発明はこのような従来の課題を解決するもので、子牛の成育度合いに応じた必要な暖房温度を、発熱体の熱輻射の方向を任意に調節して、発熱量の照射面積と照射密度を調節できるため、高さ調節をおこなう必要がなく、付帯設備等の少ない簡単な装置で暖房調節をおこなえる畜産用暖房装置を提供することを目的としている。
【課題を解決するための手段】
【０００６】
本発明の畜産用暖房装置は上記目的を達成するために、請求項１記載の本発明は、家畜用の暖房領域の上部空間に、複数の反射板を有する輻射ヒータを本体内に並列に配設し、前記輻射ヒータが放射する輻射熱の反射方向を、家畜の成育段階に応じて暖房領域を任意に区画した温度分布領域の調節をおこなう輻射角度調節部を備えた構成とした。この手段により、複数の輻射ヒータの照射線が平行から、交差するある角度を持つと照射面積が狭くなり、反対に互いに離れると照射面積は広くなる。そして照射密度は照射面積に反比例し必要とする熱線の照射面積と照射密度が簡易に調節できる畜産用暖房装置が得られる。
【０００７】
請求項２記載の本発明は、請求項１記載の畜産用暖房装置において、前記輻射ヒータは棒状で、その軸心に直交する方向に反射方向を任意に調節可能とする構成としたものである。この手段により、照射角度の調節が簡易かつ正確にすることができる畜産用暖房装置が得られる。
【０００８】
請求項３記載の本発明は、請求項１記載の畜産用暖房装置において、個々の輻射ヒータと反射板は対で可動基板に設け、前記可動基板は任意に調節できる構成としたものである。この手段により、輻射熱線の照射面積の増大を簡易にすることができる畜産用暖房装置が得られる。
【０００９】
請求項４記載の本発明は、請求項１記載の畜産用暖房装置において、前記複数の反射板は個々に任意の角度に調節できる構成にしたものである。この手段により、反射板の角度調節を容易にすることができる。
【発明の効果】
【００１０】
本発明によれば、複数の輻射ヒータの照射角度を収束すると比較的狭い照射面積で照射密度を高く、照射角度を放散すると比較的広い照射面積で照射密度を低くするようにしたものであり、子牛の小さい時期は、飼育床面は比較的狭いが十分な保温を必要とするから輻射ヒータの照射角度を収束して比較的狭い照射面積で照射密度を高くし、成育すると照射角度を放散して照射面積を広げることで、子牛の成育に応じて輻射ヒータの高さ調節することなく対応できる。そのため簡易な装置で暖房管理を可能とし、また暖房装置を移動する場合にも容易に移動できる畜産用暖房装置を提供できる。
【発明を実施するための最良の形態】
【００１１】
本発明の請求項１記載の発明は、家畜用の暖房領域の上部空間に、複数の反射板を有する輻射ヒータを本体内に並列に配設し、前記輻射ヒータが放射する輻射熱の反射方向を、家畜の成育段階に応じて暖房領域を任意に区画した温度分布領域の調節をおこなう輻射角度調節部を備えて構成されたものであり、複数の輻射ヒータの照射角度を収束すると狭い照射面積で照射密度が高く、照射角度を放散すると広い照射面積で照射密度は低くなるという作用を有する。
【００１２】
以下、本発明の実施の形態について図面を参照しながら説明する。
【００１３】
（実施の形態１）
ここではヒータが３個の場合について説明をおこなう。図１、２、３、４および図５に示すように、畜産用暖房装置の本体１は下面が開放した方形の浅い鋼板製の箱形で、上面の両端に電装ボックス２ａ、２ｂを設け、そこから畜舎の天井面へ本体１を吊下げるための吊下用くさり３ａ、３ｂを係止している。電装ボックス２ａには電源スイッチ４が固定され、ここへ電源コード５が接続されている。そして内部には本体１と同様に下面が開放した長方形の浅い鋼板製の箱形であるヒータケース６が３個、平行に並べて等間隔に配置される。ヒータケース６の内面は鏡面仕上げのアルミニウム板による反射板７と共に直管状の輻射ヒータ８が装着され、反射板７と輻射ヒータ８を対にした回動しない固定基板６ａと、反射板７と輻射ヒータ８を対にした回動自在な可動基板６ｂ、６ｃを有している。そして、等間隔に配置された３個のヒータケースは、固定基板６ａを中央に配置、他の２個はその両側に可動基板６ｂ、６ｃを配置している。すなわち、可動基板６ｂ、６ｃの両端面９には輻射ヒータ８の軸心延長上の直交面にボルト１０を固着して、本体１にボルト１０の延長上へ設けたボルト用の貫通穴に挿入する。本体１の外へ貫通したボルト１０に蝶ナット１１を挿着し締付けることにより本体１と可動基板６ｂ、６ｃは固着されるものである。この時、可動基板６ｂ、６ｃの回動範囲は本体１の水平面に対し、輻射ヒータ８の軸心に直交する方向の上下角度各々１５度としている。このようにして、可動基板６ｂ、６ｃの照射角度を調節する輻射角度調節部１２を構成している。
【００１４】
上記構成において、まず、家畜の必要飼育面積及び必要照射密度から輻射ヒータの飼育床面からの照射高さ並びに照射角度を算定する。そして、可動基板６ｂおよび可動基板６ｃのそれぞれの傾斜方向および傾斜角を決める。また、蝶ナット１１をボルト１０に緩め付けて調節し、吊下用くさり３ａ、３ｂで本体１を天井面から所定の高さに吊下げる。そして家畜の成育度合に応じて照射角度を調整するものである。
【００１５】
照射角度の調節は図５のように、小さい子牛１１１の場合には、可動基板６ｂ、６ｃである左右の輻射ヒータの照射角度を中央の固定基板６ａの方向に傾けるため（実線で示す）、小さい子牛暖房領域Ｗ１が狭くなり照射密度が高くなる。また、成長子牛１１２の場合には、可動基板６ｂ、６ｃである左右の輻射ヒータ照射角度を固定基板６ａと反対方向に傾けるため（点線で示す）、成長子牛暖房領域Ｗ４が広くなり照射密度は低くなる。そのため、小さい子牛１１１には、高い暖房温度を必要とし、成長子牛１１２になるにつれて暖房温度を徐々にさげながら育成していくことが可能となる。
【００１６】
なお、ヒータが３個の場合について説明しているが、家畜数等の大きい場合には、４個、５個とヒータの本数を多くしてもよい。そして、中央に設けるヒータは固定基板として回動できないが、回動自在な可動基板を用いてもよい。
【００１７】
なお、直管状の輻射ヒータに換えて面状や球状の物を用いても作用効果には変わりないものである。
【産業上の利用可能性】
【００１８】
以上のように本発明に係る畜産用暖房装置は、子牛の畜産用の比較的小規模の局所的な変化に対して容易に対応ができることから、子豚や犬、猫などの他の動物の飼育用としても適用できる。
【図面の簡単な説明】
【００１９】
【図１】本発明の実施の形態１の畜産用暖房装置正面図
【図２】同側面図
【図３】同照射側から見たヒータが３個の平面図
【図４】同平面図のＡ−Ａ断面図
【図５】同使用状態図
【図６】従来の子牛用暖房装置の調節方法の状態図
【符号の説明】
【００２０】
１    本体
６ｂ  可動基板ｂ
６ｃ  可動基板ｃ
７    反射板
８    輻射ヒータ
１２  輻射角度調節部
【図１】
2005151897.tif 000003
【図２】
2005151897.tif 000004
【図３】
2005151897.tif 000005
【図４】
2005151897.tif 000006
【図５】
2005151897.tif 000007
【図６】
2005151897.tif 000008